(57)【要約】【課題】この発明は、プラットホームの軌道側端部床面にホーム柵を設置するためのホーム柵設置方法であって、ホーム柵の設置（据付）工事を短時間で正確に実施することができるホーム柵設置方法を提供することである。【解決手段】プラットホームの床面上に墨出し器２３から所定高さで水平面状にレーザ光２４を照射して、ホーム柵の支柱６の所定高さに予めマーキングされた基準線２５を合わせるとともに、ホーム柵は予め垂直面からの距離を測定記録した複数の測定点を有しており、プラットホームの長手方向に沿って墨出し器２６から垂直面状にレーザ光２７を照射して、レーザ光２７から上記測定点までの距離が上記測定記録された距離となるよう、ホーム柵を設置（据付）するものである。【選択図】図１
2014214486.tif 000002
【特許請求の範囲】
【請求項１】
プラットホームの軌道側端部床面にホーム柵を設置するためのホーム柵設置方法であって、上記プラットホームの床面上にレーザ光を照射し、該照射されたレーザ光を基準として上記ホーム柵を設置することを特徴とするホーム柵設置方法。
【請求項２】
上記レーザ光は上記プラットホームの床面上の所定高さで水平面状に照射されることを特徴とする請求項１に記載のホーム柵設置方法。
【請求項３】
上記ホーム柵には予め所定の高さに基準線が設けられており、該基準線を上記水平面状に照射されたレーザ光に合わせることを特徴とする請求項２に記載のホーム柵設置方法。
【請求項４】
上記レーザ光は上記プラットホームの長手方向に沿って照射されることを特徴とする請求項１から３のいずれか１項に記載のホーム柵設置方法。
【請求項５】
上記レーザ光は垂直面状に照射されることを特徴とする請求項４に記載のホーム柵設置方法。
【請求項６】
上記ホーム柵は予め垂直面からの距離を測定記録した複数の測定点を有し、該測定点から上記レーザ光までの距離を上記予め測定記録された距離とすることを特徴とする請求項４または５に記載のホーム柵設置方法。
【発明の詳細な説明】
【技術分野】
【０００１】
この発明は、プラットホームの軌道側端部床面に設置されるホーム柵の設置方法に関するものである。
【背景技術】
【０００２】
近年乗客の安全を確保するためにプラットホームにホーム柵の設置が増加しているが、ホーム柵の設置工事は電車の終電から始発までの深夜短時間で実施する必要があり、例えば特許文献１では簡易取付型のものが提案されている。また、特許文献２ではホーム柵を設置位置まで搬入するために営業用車両を使用して搬入時間を短縮するものが提案されている。
【先行技術文献】
【特許文献】
【０００３】
【特許文献１】特開２０００−１５４５０９号公報
【特許文献２】特開２００２−３３２６１４号公報
【発明の概要】
【発明が解決しようとする課題】
【０００４】
従来の簡易設置型のものでは短時間で設置可能かもしれないが恒久使用に耐えるものではない。また、営業用車両を使用して搬入時間を短縮するものでは、設置（据付）工事そのものに関しては時間短縮等の改善がなされるものではないという課題があった。
【０００５】
この発明は以上のような課題を解決するためになされたもので、ホーム柵の設置（据付）工事を短時間で正確に実施することができるホーム柵設置方法を提供することを目的とする。
【課題を解決するための手段】
【０００６】
この発明に係るホーム柵設置方法は、プラットホームの軌道側端部床面にホーム柵を設置するためのホーム柵設置方法であって、上記プラットホームの床面上にレーザ光を照射し、該照射されたレーザ光を基準として上記ホーム柵を設置することを特徴とするものである。
【発明の効果】
【０００７】
この発明のホーム柵設置方法によれば、プラットホームの床面上にレーザ光を照射し、該照射されたレーザ光を基準としてホーム柵を設置するものであるため、ホーム柵の設置（据付）工事を正確に短時間で実施することができるホーム柵設置方法を得ることができる効果がある。
【図面の簡単な説明】
【０００８】
【図１】この発明の実施の形態１におけるホーム柵設置方法を説明する斜視図である。
【図２】この発明の実施の形態１におけるホーム柵設置方法を説明する側面図である。
【図３】この発明の実施の形態１におけるホーム柵設置方法を説明する正面図である。
【図４】この発明の実施の形態１における隣接するホーム柵間に高さ方向のずれが生じた場合のホーム柵設置方法を説明する正面図である。
【図５】この発明の実施の形態１における隣接するホーム柵間に傾きが生じた場合のホーム柵設置方法を説明する正面図である。
【図６】この発明の実施の形態１におけるホーム柵設置方法を説明する平面図である。
【図７】この発明の実施の形態１における隣接するホーム柵間に横幅方向のずれが生じた場合のホーム柵設置方法を説明する平面図である。
【図８】この発明の実施の形態１におけるホーム柵が傾いて設置された場合のホーム柵設置方法を説明する側面図である。
【図９】この発明の実施の形態２におけるホーム柵設置方法を説明する側面図である。
【図１０】この発明の実施の形態１におけるホーム柵設置方法が適用される片扉のホーム柵の構成を示す正面図である。
【図１１】この発明の実施の形態１におけるホーム柵設置方法が適用される両扉のホーム柵の構成を示す正面図である。
【発明を実施するための形態】
【０００９】
以下、この発明の実施の形態について説明するが、各図において同一、または相当部分については同一符号を付して説明する。
実施の形態１．
図１はこの発明の実施の形態１におけるホーム柵設置方法を説明する斜視図、図２はこの発明の実施の形態１におけるホーム柵設置方法を説明する側面図、図３はこの発明の実施の形態１におけるホーム柵設置方法を説明する正面図、図４はこの発明の実施の形態１における隣接するホーム柵間に高さ方向のずれが生じた場合のホーム柵設置方法を説明する正面図、図５はこの発明の実施の形態１における隣接するホーム柵間に傾きが生じた場合のホーム柵設置方法を説明する正面図、図６はこの発明の実施の形態１におけるホーム柵設置方法を説明する平面図、図７はこの発明の実施の形態１における隣接するホーム柵間に横幅方向のずれが生じた場合のホーム柵設置方法を説明する平面図、図８はこの発明の実施の形態１におけるホーム柵が傾いて設置された場合のホーム柵設置方法を説明する側面図、図１０はこの発明の実施の形態１におけるホーム柵設置方法が適用される片扉のホーム柵の構成を示す正面図、図１１はこの発明の実施の形態１におけるホーム柵設置方法が適用される両扉のホーム柵の構成を示す正面図である。
【００１０】
最初に図１０および図１１にもとづきホーム柵の概略構成を説明する。図１０は片扉式のホーム柵を示し、図１１は両扉式のホーム柵を示しており、基本的な構造については同様のものである。なお、図１１については図面の煩雑さを避けるために本件発明に関係の薄い駆動部等の内部機構の符号を省略している。また、後述する図１から図９の各説明図においては駆動部等の内部機構の図示も省略している。プラットホーム１の軌道側端部床面にホーム柵を設置する基礎ベース２が予め土木工事により設置されている。この基礎ベース２上にホーム柵の戸袋３が設置され、戸袋３に進退可能に可動扉４が取り付けられている。戸袋３は一点鎖線で示しているカバーで覆われており、通常は内部機構等が見えないが、内部機構等が見える状態で図示している。戸袋３を支える２枚のベース板５に支柱６が設置され、支柱６間に設けられた横梁７，８，９により接続されて枠状の戸袋本体が形成されている。
【００１１】
下部の横梁９にはガイドレール１０が固着されており、可動扉４に固着されたガイド取付部１１に取り付けられたガイド１２がガイドレール１０に沿って移動することで、可動扉４は戸袋３に進退可能に支持されている。上部の横梁７には振止レール１３が固着されており、可動扉４に取り付けられた振止ガイド１４が振止レール１３と係合することで、可動扉４に風圧等の横方向の力が加わった場合の支えとなっている。中央部の横梁８には駆動モータ１５が取り付けられており、駆動モータ１５の回転軸に駆動プーリー１６が固着されている。また、横梁８には従動プーリー１７も取り付けられており、駆動プーリー１６と従動プーリー１７との間にタイミングベルト１８が掛けられている。可動扉４に設けられた金具取付部１９に取り付けられた駆動金具２０がタイミングベルト１８を挟み込んで固定しており、駆動モータ１５が回転するとタイミングベルト１８が動き、タイミングベルト１８に固定された駆動金具２０が移動することで、駆動金具２０が金具取付部１９に取り付けられた可動扉４は戸袋３内に進退移動する。戸袋３のベース板５は金属の薄板であるシム２１により、後で詳細に説明する設置高さや傾きが調整されて基礎ベース２にボルト２２により締付固定されることで、戸袋３はプラットホーム１の床面上に設置（据付）される。
【００１２】
次に、このように構成されたホーム柵の従来の設置工事詳細について、図３から図８にもとづき説明する。図３に示すように、まず１台のホーム柵を正確に設置して、次に設置したホーム柵を基準として隣のホーム柵を設置する。そして隣のホーム柵が設置されたら、そのホーム柵を基準にしてさらに隣のホーム柵を設置する。従来このように順次繰り返してプラットホーム軌道側端部床面上の長手方向全域にホーム柵を設置していた。このため設置工事に時間が掛かるとともに、以下に詳細に説明する調整作業が加わり、さらに多くの作業時間が必要であった。例えば図４に示すように隣り合うホーム柵に高さ方向の段差が生じた場合には、基礎ベース２とベース板５との間に挿入しているシム２１の枚数を増減して高さ調整をするが、ホーム柵のベース板５は１台に２箇所あるため一方の高さ調整だけでは他方が下がってしまい図５に示すように隣に設置されている基準となるホーム柵と高さが合っていても、可動扉４の先端部分の上端と下端との隙間が異なってしまうことになり、さらに他方にもシム２１を追加して高さ調整する必要がある。このような高さ調整を実施して図３に示すように隣の基準となるホーム柵と高さが合うように設置する。
【００１３】
また、図７に示すように可動扉４の先端部がずれている場合にも図６に示すように位置調整する。さらに、図８に示すように基礎ベース２が幅方向に傾いて設置されていると、支柱６も傾き、可動扉４も傾いて設置される。この傾きによるずれ量は例えば、基礎ベース２の幅方向の寸法が２０ｃｍで０．５ｍｍの傾きが生じているとすると、可動扉４の上端までの高さが約１ｍであるから、可動扉４の上端でのずれ量は２．５ｍｍとなり、戸袋３の外部を覆っているカバーに設けられている可動扉通過用の開口部３ａに可動扉４が接触するなどして、可動扉４の進退移動がスムーズに行かなくなったりする。基礎ベース２は予め土木工事で設置されているものであり、土木工事によって０．５ｍｍよりも精度良く基礎ベース２を設置するのは難しい。従ってこのような傾きが生じている場合にも、隣に設置されている基準となるホーム柵とのずれが無くなるように面積の小さいシム２１を低くなっている側に入れて傾き調整をする。以上説明した高さ調整や傾き調整などのために、ホーム柵の設置工事は多大の時間を要することとなる。
【００１４】
本件発明のホーム柵設置方法においては、まず工場等において水平に設置された定盤上にホーム柵を仮設置する。水平な定盤上への仮設置であるため高さ調整や傾き調整などはほとんど必要なく、上記図６および図７で説明した平面での位置調整をするだけでよい。また、プラットホーム１の軌道側端面が湾曲しているような場合にも、その湾曲状態に合うように仮設置する。この仮設置の状態でホーム柵の所定の高さに水平に基準線をマーキングするとともに、垂直面からホーム柵の複数の測定点までの距離を測定して記録しておく。このように予め設置準備を実施した後、実際にプラットホーム１の軌道側端部床面上にホーム柵を設置する場合には、図１および図２に示すように、プラットホーム１の床面上の所定高さに墨出し器２３から水平面状にレーザ光２４を照射するとともに、プラットホーム１の長手方向に沿って墨出し器２６から垂直面状にレーザ光２７を照射して、これらの照射されたレーザ光２４，２７を基準としてホーム柵の設置を実施する。
【００１５】
具体的には、水平面状に照射されたレーザ光２４に支柱６に予めマーキングされた基準線２５を合わせることで、高さ調整ができる。位置調整や傾き調整については、例えば図２に示すようにベース板５の上端角部と支柱６の上端角部を測定点として、これらの測定点から垂直面までの予め測定しておいた距離Ａおよび距離Ｂになるように、垂直面状に照射されたレーザ光２７までの距離を合すことで、工場等で仮設置された状態をプラットホーム１の床面上で再現でき、位置ずれや傾きの無い正確な状態に設置可能となる。このようにしてホーム柵の設置を実施することで、高さ調整や傾き調整などに要する調整時間を大幅に少なくすることが可能になるため、プラットホーム１の床面上に短時間で正確にホーム柵を設置することができる。また、基準は従来の設置工事のように隣に設置されたホーム柵ではなく、水平面状に照射されたレーザ光２４および垂直面状に照射されたレーザ光２７であるので、複数箇所同時に平行して設置作業を実施することが可能となり、さらに短時間でのホーム柵設置作業が可能となる。
【００１６】
なお、上記説明では１台のホーム柵に対して測定点をホーム柵の枠状の戸袋本体を形成する２枚のベース板５の上端角部と支柱６の上端角部とのそれぞれ２点、合計４点とする場合について説明したが、測定点の数や位置はこれに限定されるものではなく、例えば可動扉４の先端部上端および下端など、ホーム柵の主要部分に複数点設ければよい。また、墨出し器２３，２６は、例えば特開平９−２６４７４４号公報に示されるような自動的に水平面状および垂直面状にレーザ光を照射できるものを使用するのが好ましい。さらに、１台の墨出し器から水平面状および垂直面状にレーザ光を照射するようにしてもよい。この場合の墨出し器の設置場所は墨出し器２６の位置とするのがよい。
【００１７】
実施の形態２．
図９はこの発明の実施の形態２におけるホーム柵設置方法を説明する側面図である。上記実施の形態１ではプラットホームの長手方向に沿って垂直面状にレーザ光２７を照射する場合について説明したが、これに変えて例えば図９に示すようにスポット状のレーザ光２７ａおよび２７ｂをプラットホームの長手方向に沿って水平線状に照射してもよく、上記実施の形態１と同様の効果がある。このようにレーザ光の照射は水平面状および垂直面状に限定されるものではなく、ホーム柵設置の基準となるものであれば、どのような照射形態であってもよい。
なお、この発明は、その発明の範囲内において、各実施の形態を自由に組み合わせたり、各実施の形態を適宜、変形、省略することが可能である。
【符号の説明】
【００１８】
１  プラットホーム、２  基礎ベース、３  戸袋、４  可動扉、５  ベース板、６  支柱、７  横梁、８  横梁、９  横梁、１０  ガイドレール、１１  ガイド取付部、１２  ガイド、１３  振止レール、１４  振止ガイド、１５  駆動モータ、１６  駆動プーリー、１７  従動プーリー、１８  タイミングベルト、１９  金具取付部、２０  駆動金具、２１  シム、２２  ボルト、２３  墨出し器、２４  レーザ光、２５  基準線、２６  墨出し器、２７  レーザ光。
【図１】
2014214486.tif 000003
【図２】
2014214486.tif 000004
【図３】
2014214486.tif 000005
【図４】
2014214486.tif 000006
【図５】
2014214486.tif 000007
【図６】
2014214486.tif 000008
【図７】
2014214486.tif 000009
【図８】
2014214486.tif 000010
【図９】
2014214486.tif 000011
【図１０】
2014214486.tif 000012
【図１１】
2014214486.tif 000013